(57)【要約】【課題】ワイヤに過電流が流れる状況において、当該ワイヤが溶断されやすい半導体装置を提供する。【解決手段】ワイヤＷ１ａは、半導体素子Ｓ１ａに接続されている接点ｎ１と、半導体素子Ｓ１ｂに接続されている接点ｎ２とを有する。ワイヤＷ１ｂは、半導体素子Ｓ１ａに接続されている接点ｎ３と、半導体素子Ｓ１ｂに接続されている接点ｎ４とを有する。ワイヤＷ１ａのうち接点ｎ１と接点ｎ２との間の部分である線状部Ｗ１ａｐは、起伏を有する。ワイヤＷ１ｂのうち接点ｎ３と接点ｎ４との間の部分である線状部Ｗ１ｂｐは、起伏を有する。線状部Ｗ１ａｐの最上部Ｔ１ａは、線状部Ｗ１ｂｐの最上部Ｔ１ｂに隣接している。最上部Ｔ１ａと最上部Ｔ１ｂとの間隔は、接点ｎ１と接点ｎ３との間隔より狭い。最上部Ｔ１ａと最上部Ｔ１ｂとの間隔は、接点ｎ２と接点ｎ４との間隔より狭い。【選択図】図２
2020077722.tif 000002
【特許請求の範囲】
【請求項１】
第１半導体素子と、
平面視において、前記第１半導体素子に隣接している第２半導体素子と、を備え、
前記第１半導体素子は、第１ワイヤおよび第２ワイヤにより、前記第２半導体素子に接続されており、
前記第１ワイヤは、
前記第１半導体素子に接続されている第１接点と、
前記第２半導体素子に接続されている第２接点とを有し、
前記第２ワイヤは、
前記第１半導体素子に接続されている第３接点と、
前記第２半導体素子に接続されている第４接点とを有し、
前記第１ワイヤのうち前記第１接点と前記第２接点との間の部分である第１線状部は、起伏を有し、
前記第２ワイヤのうち前記第３接点と前記第４接点との間の部分である第２線状部は、起伏を有し、
前記第１線状部の第１最上部は、前記第２線状部の第２最上部に隣接しており、
前記第１最上部と前記第２最上部との間隔は、前記第１接点と前記第３接点との間隔より狭く、
前記第１最上部と前記第２最上部との間隔は、前記第２接点と前記第４接点との間隔より狭い
半導体装置。
【請求項２】
前記半導体装置は、さらに、第１樹脂および第２樹脂を備え、
前記第２樹脂の熱伝導率は、前記第１樹脂の熱伝導率より低く、
前記第１最上部および前記第２最上部は、前記第２樹脂により封止されており、
前記第１ワイヤのうち前記第２樹脂により封止されていない部分は、前記第１樹脂により封止されており、
前記第２ワイヤのうち前記第２樹脂により封止されていない部分は、前記第１樹脂により封止されている
請求項１に記載の半導体装置。
【請求項３】
前記第１ワイヤおよび前記第２ワイヤは、パッケージにより封止されており、
前記パッケージは、第１樹脂で構成されており、
前記パッケージの上面のうち、前記第１最上部および前記第２最上部の上方の領域には窪みが設けられている
請求項１または２に記載の半導体装置。
【請求項４】
前記半導体装置は、さらに、第１樹脂および第３樹脂を備え、
前記第３樹脂のヤング率は、前記第１樹脂のヤング率より小さく、
前記第１最上部および前記第２最上部の状態は、当該第１最上部および当該第２最上部が前記第３樹脂に接触している第１状態、または、当該第１最上部および当該第２最上部が当該第３樹脂内に存在する第２状態であり、
前記第１ワイヤのうち前記第３樹脂に接触していない部分、または、当該第１ワイヤのうち当該第３樹脂内に存在していない部分は、前記第１樹脂により封止されており、
前記第２ワイヤのうち前記第３樹脂に接触していない部分、または、当該第２ワイヤのうち当該第３樹脂内に存在していない部分は、前記第１樹脂により封止されている
請求項１に記載の半導体装置。
【発明の詳細な説明】
【技術分野】
【０００１】
本発明は、複数のワイヤにより複数の半導体素子が接続された構成を有する半導体装置に関する。
【背景技術】
【０００２】
電力用半導体装置等の半導体装置には、複数の半導体素子が設けられている。当該複数の半導体素子に含まれる隣接する２つの半導体素子は、例えば、複数のワイヤにより接続されている場合もある。なお、半導体装置では、様々な要因により、当該複数のワイヤに過電流が流れる場合がある。当該様々な要因は、例えば、短絡箇所の発生、静電気の発生等である。以下においては、隣接する２つの半導体素子を接続する複数のワイヤに過電流が流れる状況を、「過電流状況」ともいう。
【０００３】
過電流状況では、複数のワイヤが接続されている、当該２つの半導体素子の両方または一方が故障する可能性がある。このような事態の発生を抑制するために、半導体装置におけるワイヤをヒューズとして利用する技術が使用される。
【０００４】
特許文献１では、ワイヤをヒューズとして利用する技術を使用した構成（以下、「関連構成Ａ」ともいう）が開示されている。
【先行技術文献】
【特許文献】
【０００５】
【特許文献１】特開２０１３−２３９６９７号公報
【発明の概要】
【発明が解決しようとする課題】
【０００６】
隣接する２つの半導体素子が複数のワイヤにより接続されている構成を有する半導体装置がある。なお、過電流状況において、当該複数のワイヤが過電流により溶断されない可能性がある。当該複数のワイヤが過電流により溶断されない場合、当該過電流により、当該半導体素子が故障する可能性があるという問題がある。
【０００７】
本発明は、このような問題を解決するためになされたものであり、ワイヤに過電流が流れる状況において、当該ワイヤが溶断されやすい半導体装置を提供することを目的とする。
【課題を解決するための手段】
【０００８】
上記目的を達成するために、本発明の一態様に係る半導体装置は、第１半導体素子と、平面視において、前記第１半導体素子に隣接している第２半導体素子と、を備える。前記第１半導体素子は、第１ワイヤおよび第２ワイヤにより、前記第２半導体素子に接続されており、前記第１ワイヤは、前記第１半導体素子に接続されている第１接点と、前記第２半導体素子に接続されている第２接点とを有し、前記第２ワイヤは、前記第１半導体素子に接続されている第３接点と、前記第２半導体素子に接続されている第４接点とを有し、前記第１ワイヤのうち前記第１接点と前記第２接点との間の部分である第１線状部は、起伏を有し、前記第２ワイヤのうち前記第３接点と前記第４接点との間の部分である第２線状部は、起伏を有し、前記第１線状部の第１最上部は、前記第２線状部の第２最上部に隣接しており、前記第１最上部と前記第２最上部との間隔は、前記第１接点と前記第３接点との間隔より狭く、前記第１最上部と前記第２最上部との間隔は、前記第２接点と前記第４接点との間隔より狭い。
【発明の効果】
【０００９】
本発明によれば、前記第１ワイヤは、前記第１半導体素子に接続されている第１接点と、前記第２半導体素子に接続されている第２接点とを有する。前記第２ワイヤは、前記第１半導体素子に接続されている第３接点と、前記第２半導体素子に接続されている第４接点とを有する。
【００１０】
前記第１ワイヤのうち前記第１接点と前記第２接点との間の部分である第１線状部は、起伏を有する。前記第２ワイヤのうち前記第３接点と前記第４接点との間の部分である第２線状部は、起伏を有する。
【００１１】
前記第１線状部の第１最上部は、前記第２線状部の第２最上部に隣接している。前記第１最上部と前記第２最上部との間隔は、前記第１接点と前記第３接点との間隔より狭い。前記第１最上部と前記第２最上部との間隔は、前記第２接点と前記第４接点との間隔より狭い。
【００１２】
これにより、ワイヤに過電流が流れる状況において、前記第１最上部および前記第２最上部の温度は、前記第１接点および前記第３接点の温度よりも、高くなる。そのため、前記第１ワイヤの一部である第１最上部、および、前記第２ワイヤの一部である第２最上部が、過電流により溶断されやすくなる。すなわち、ワイヤに過電流が流れる状況において、当該ワイヤが溶断されやすい半導体装置を提供することができる。
【図面の簡単な説明】
【００１３】
【図１】実施の形態１に係る半導体装置の側面図である。
【図２】実施の形態１に係る半導体装置の一部を示す平面図である。
【図３】図２のＡ１−Ａ２間の一点鎖線に沿った、半導体装置の断面図である。
【図４】変形例１の構成における半導体装置の断面図である。
【図５】変形例２に係る構成を有する半導体装置の断面図である。
【図６】変形例３の構成における半導体装置の断面図である。
【発明を実施するための形態】
【００１４】
以下、図面を参照しつつ、実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００１５】
なお、実施の形態において例示される各構成要素の寸法、材質、形状、当該各構成要素の相対配置などは、装置の構成、各種条件等により適宜変更されてもよい。また、各図における各構成要素の寸法は、実際の寸法と異なる場合がある。
【００１６】
＜実施の形態１＞
図１は、実施の形態１に係る半導体装置１００の側面図である。半導体装置１００は、例えば、電力用半導体装置である。図１において、Ｘ方向、Ｙ方向およびＺ方向は、互いに直交する。以下の図に示されるＸ方向、Ｙ方向およびＺ方向も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｚ方向と、当該Ｚ方向の反対の方向（−Ｚ方向）とを含む方向を「Ｚ軸方向」ともいう。
【００１７】
また、以下においては、Ｘ軸方向およびＹ軸方向を含む平面を、「ＸＹ面」ともいう。また、以下においては、Ｘ軸方向およびＺ軸方向を含む平面を、「ＸＺ面」ともいう。また、以下においては、Ｙ軸方向およびＺ軸方向を含む平面を、「ＹＺ面」ともいう。
【００１８】
図１を参照して、半導体装置１００は、パッケージＰ１を備える。パッケージＰ１は、上面Ｐ１ｓを有する。パッケージＰ１は、樹脂Ｒ１で構成されている。すなわち、半導体装置１００は、樹脂Ｒ１を備える。
【００１９】
図２は、実施の形態１に係る半導体装置１００の一部を示す平面図である。なお、図２は、パッケージＰ１の内部構成を示している。また、図２では、半導体装置１００における１つのアーム部が示されている。図３は、図２のＡ１−Ａ２間の一点鎖線に沿った、半導体装置１００の断面図である。
【００２０】
図２および図３を参照して、半導体装置１００は、さらに、リードフレームＦ１，Ｆ２と、半導体素子Ｓ１ａと、半導体素子Ｓ１ｂと、複数のワイヤＷ１とを備える。
【００２１】
リードフレームＦ１，Ｆ２の各々の形状は、板状である。リードフレームＦ１，Ｆ２の各々は、金属で構成される。リードフレームＦ１，Ｆ２の各々は、配線状に加工された、板状の金属である。
【００２２】
リードフレームＦ１には、半導体素子Ｓ１ａ，Ｓ１ｂが実装されている。平面視（ＸＹ面）において、半導体素子Ｓ１ｂは、半導体素子Ｓ１ａに隣接している。半導体素子Ｓ１ａは、例えば、スイッチング素子としてのＩＧＢＴ（Insulated Gate Bipolar Transistor）である。ＩＧＢＴは、主電流の流れを制御する機能を有する。半導体素子Ｓ１ｂは、例えば、還流ダイオード（Free Wheeling Diode）である。還流ダイオードは、ＩＧＢＴがオフ状態であるときに還流電流を流す機能を有する。
【００２３】
半導体素子Ｓ１ａおよび半導体素子Ｓ１ｂは、詳細は後述するが、複数のワイヤＷ１およびリードフレームＦ１により、電気的に逆並列に接続されている。
【００２４】
半導体素子Ｓ１ａの上面には、電極Ｅ１ａが設けられている。電極Ｅ１ａは、エミッタ電極である。半導体素子Ｓ１ａの底面には、コレクタ電極（図示せず）が設けられている。半導体素子Ｓ１ａのコレクタ電極（図示せず）は、リードフレームＦ１に接続される。リードフレームＦ１は、ＩＧＢＴのコレクタ側の外部接続端子（コレクタ側端子）として機能する。
【００２５】
半導体素子Ｓ１ｂの上面には、電極Ｅ１ｂが設けられている。電極Ｅ１ｂは、アノード電極である。半導体素子Ｓ１ｂの底面には、カソード電極（図示せず）が設けられている。半導体素子Ｓ１ｂのカソード電極（図示せず）は、リードフレームＦ１に接続される。
【００２６】
リードフレームＦ１の一部、半導体素子Ｓ１ａ，Ｓ１ｂ、リードフレームＦ２の一部、および、複数のワイヤＷ１は、パッケージＰ１により封止されている。前述したように、パッケージＰ１は、樹脂Ｒ１で構成されている。すなわち、リードフレームＦ１の一部、半導体素子Ｓ１ａ，Ｓ１ｂ、リードフレームＦ２の一部、および、複数のワイヤＷ１は、樹脂Ｒ１により封止されている。樹脂Ｒ１は、モールド樹脂である。
【００２７】
半導体素子Ｓ１ａは、複数のワイヤＷ１により、半導体素子Ｓ１ｂに接続されている。なお、図２では、一例として、３本のワイヤＷ１が示されている。各ワイヤＷ１は、電極Ｅ１ａ、電極Ｅ１ｂおよびリードフレームＦ２に接続されている（図２および図３参照）。リードフレームＦ２は、ＩＧＢＴのエミッタ側の外部接続端子（エミッタ側端子）として機能する。なお、各ワイヤＷ１のうち、リードフレームＦ２に近い部分は、出力ワイヤとして機能する。
【００２８】
また、半導体素子Ｓ１ａの電極Ｅ１ａには、入力ワイヤとしてのワイヤＷ２が接続されている。
【００２９】
以下においては、図２の３本のワイヤＷ１を、それぞれ、ワイヤＷ１ａ，Ｗ１ｂ，Ｗ１ｃともいう。ワイヤＷ１ａ，Ｗ１ｂ，Ｗ１ｃは、パッケージＰ１（樹脂Ｒ１）により封止されている。なお、半導体素子Ｓ１ａと半導体素子Ｓ１ｂとを接続するワイヤＷ１の数は、３に限定されず、２または４以上であってもよい。
【００３０】
図３は、鉛直面（ＹＺ面）における、ワイヤＷ１ａの形状を示している。なお、鉛直面（ＹＺ面）におけるワイヤＷ１ｂ，Ｗ１ｃの形状も、図３のワイヤＷ１ａの形状と同等の形状である。
【００３１】
次に、本実施の形態の特徴的な構成（以下、「構成Ｃｔ１」ともいう）について説明する。なお、以下の説明では、一例として、主に、ワイヤＷ１ａ，Ｗ１ｂについて説明する。
【００３２】
図２および図３を参照して、ワイヤＷ１ａは、半導体素子Ｓ１ａ（電極Ｅ１ａ）に接続されている接点ｎ１と、半導体素子Ｓ１ｂ（電極Ｅ１ｂ）に接続されている接点ｎ２とを有する。また、ワイヤＷ１ｂは、半導体素子Ｓ１ｂ（電極Ｅ１ｂ）に接続されている接点ｎ３と、半導体素子Ｓ１ｂ（電極Ｅ１ｂ）に接続されている接点ｎ４とを有する。
【００３３】
以下においては、ワイヤＷ１ａのうち接点ｎ１と接点ｎ２との間の部分を、「線状部Ｗ１ａｐ」ともいう。線状部Ｗ１ａｐは、鉛直面（ＹＺ面）において、曲がっている。鉛直面（ＹＺ面）における線状部Ｗ１ａｐの形状は、略弓形または弓形（ループ状）である。すなわち、線状部Ｗ１ａｐは、起伏を有する。
【００３４】
また、以下においては、ワイヤＷ１ｂのうち接点ｎ３と接点ｎ４との間の部分を、「線状部Ｗ１ｂｐ」ともいう。線状部Ｗ１ｂｐは、鉛直面（ＹＺ面）において、曲がっている。鉛直面（ＹＺ面）における線状部Ｗ１ｂｐの形状は、略弓形または弓形（ループ状）である。すなわち、線状部Ｗ１ｂｐは、起伏を有する。
【００３５】
以下においては、線状部Ｗ１ａｐの最上部（ループトップ部）を、「最上部Ｔ１ａ」ともいう。また、以下においては、線状部Ｗ１ｂｐの最上部（ループトップ部）を、「最上部Ｔ１ｂ」ともいう。線状部Ｗ１ａｐの最上部Ｔ１ａは、線状部Ｗ１ｂｐの最上部Ｔ１ｂに隣接している。以下においては、最上部Ｔ１ａと最上部Ｔ１ｂとの間隔を、「最上部間隔Ａｂ」ともいう。最上部間隔Ａｂは、最上部Ｔ１ａと最上部Ｔ１ｂとの最短距離である。また、以下においては、最上部Ｔ１ａ，Ｔ１ｂの周辺の領域を、「最上部周辺領域」ともいう。
【００３６】
以下においては、半導体素子Ｓ１ａ，Ｓ１ｂを接続する複数のワイヤＷ１に過電流が流れる状況を、「過電流状況」ともいう。当該複数のワイヤＷ１は、例えば、ワイヤＷ１ａ，Ｗ１ｂ，Ｗ１ｃである。
【００３７】
構成Ｃｔ１では、過電流状況において、ワイヤＷ１ａ，Ｗ１ｂ，Ｗ１ｃの各々はヒューズとして利用される。また、構成Ｃｔ１では、過電流状況において、最上部周辺領域に発熱が集中するように、ワイヤＷ１ａ，Ｗ１ｂは構成される。具体的には、構成Ｃｔ１では、最上部間隔Ａｂは、接点ｎ１と接点ｎ３との間隔より狭い。また、構成Ｃｔ１では、最上部間隔Ａｂは、接点ｎ２と接点ｎ４との間隔より狭い。
【００３８】
最上部間隔Ａｂは、例えば、接点ｎ１と接点ｎ３との間隔のｋ倍である。「ｋ」は正の実数である。「ｋ」は、例えば、０．１から０．９の範囲の値である。また、最上部間隔Ａｂは、例えば、接点ｎ２と接点ｎ４との間隔のｋ倍である。
【００３９】
なお、ワイヤＷ１ａ，Ｗ１ｃも、ワイヤＷ１ａ，Ｗ１ｂに対する構成Ｃｔ１と同様な構成を有する。以下、簡単に説明する。ワイヤＷ１ｃは、半導体素子Ｓ１ａ（電極Ｅ１ａ）に接続されている接点ｎ５と、半導体素子Ｓ１ｂ（電極Ｅ１ｂ）に接続されている接点ｎ６とを有する。以下においては、ワイヤＷ１ｃのうち接点ｎ５と接点ｎ６との間の部分を、「線状部Ｗ１ｃｐ」ともいう。鉛直面（ＹＺ面）における線状部Ｗ１ｃｐの形状は、鉛直面（ＹＺ面）における線状部Ｗ１ｂｐの形状と同等の形状である。
【００４０】
以下においては、線状部Ｗ１ｃｐの最上部（ループトップ部）を、「最上部Ｔ１ｃ」ともいう。また、以下においては、最上部Ｔ１ａと最上部Ｔ１ｃとの間隔を、「最上部間隔Ａｃ」ともいう。最上部間隔Ａｃは、最上部Ｔ１ａと最上部Ｔ１ｃとの最短距離である。以下においては、最上部Ｔ１ａ，Ｔ１ｂ，Ｔ１ｃの周辺の領域も、「最上部周辺領域」ともいう。
【００４１】
構成Ｃｔ１では、過電流状況において、当該最上部周辺領域に発熱が集中するように、ワイヤＷ１ａ，Ｗ１ｂ，Ｗ１ｃは構成される。具体的には、最上部間隔Ａｃは、接点ｎ１と接点ｎ５との間隔より狭い。また、最上部間隔Ａｃは、接点ｎ２と接点ｎ６との間隔より狭い。また、最上部Ｔ１ａと最上部Ｔ１ｃとの間隔は、最上部Ｔ１ａと最上部Ｔ１ｂとの間隔と同等の間隔である。
【００４２】
（まとめ）
以上説明したように、本実施の形態によれば、ワイヤＷ１ａは、半導体素子Ｓ１ａに接続されている接点ｎ１と、半導体素子Ｓ１ｂに接続されている接点ｎ２とを有する。ワイヤＷ１ｂは、半導体素子Ｓ１ａに接続されている接点ｎ３と、半導体素子Ｓ１ｂに接続されている接点ｎ４とを有する。
【００４３】
ワイヤＷ１ａのうち接点ｎ１と接点ｎ２との間の部分である線状部Ｗ１ａｐは、起伏を有する。ワイヤＷ１ｂのうち接点ｎ３と接点ｎ４との間の部分である線状部Ｗ１ｂｐは、起伏を有する。
【００４４】
線状部Ｗ１ａｐの最上部Ｔ１ａは、線状部Ｗ１ｂｐの最上部Ｔ１ｂに隣接している。最上部Ｔ１ａと最上部Ｔ１ｂとの間隔は、接点ｎ１と接点ｎ３との間隔より狭い。最上部Ｔ１ａと最上部Ｔ１ｂとの間隔は、接点ｎ２と接点ｎ４との間隔より狭い。
【００４５】
また、ワイヤＷ１ｃは、半導体素子Ｓ１ａに接続されている接点ｎ５と、半導体素子Ｓ１ｂに接続されている接点ｎ６とを有する。ワイヤＷ１ｃのうち接点ｎ５と接点ｎ６との間の部分である線状部Ｗ１ｃｐの形状は、線状部Ｗ１ｂｐの形状と同等の形状である。最上部Ｔ１ａと最上部Ｔ１ｃとの間隔は、接点ｎ１と接点ｎ５との間隔より狭い。また、最上部Ｔ１ａと最上部Ｔ１ｃとの間隔は、接点ｎ２と接点ｎ６との間隔より狭い。
【００４６】
これにより、ワイヤに過電流が流れる状況において、最上部Ｔ１ａ，Ｔ１ｂ，Ｔ１ｃの温度は、接点ｎ１，ｎ３，ｎ５の温度よりも、高くなる。そのため、ワイヤＷ１ａの一部である最上部Ｔ１ａ、ワイヤＷ１ｂの一部である最上部Ｔ１ｂ、および、ワイヤＷ１ｃの一部である最上部Ｔ１ｃが、過電流により溶断されやすくなる。すなわち、ワイヤに過電流が流れる状況において、当該ワイヤが溶断されやすい半導体装置を提供することができる。
【００４７】
また、本実施の形態によれば、過電流状況において、ワイヤの発熱箇所が集中するように構成される。具体的には、最上部周辺領域に発熱が集中するように、ワイヤＷ１ａ，Ｗ１ｂ，Ｗ１ｃは構成される。すなわち、最上部周辺領域では、熱干渉が発生しやすい。そのため、過電流状況が発生した場合、最上部周辺領域における最上部Ｔ１ａ，Ｔ１ｂ，Ｔ１ｃが溶断されやすくなる。
【００４８】
その結果、最上部Ｔ１ａ，Ｔ１ｂ，Ｔ１ｃが溶断されてパッケージＰ１が破壊される場合、当該溶断（破壊）の影響を、最上部Ｔ１ａ，Ｔ１ｂ，Ｔ１ｃ、および、最上部周辺領域における樹脂Ｒ１に留めることができる。したがって、過電流状況が発生した場合に、半導体素子Ｓ１ａ，Ｓ１ｂにダメージが生じることを抑制することができる。
【００４９】
また、本実施の形態によれば、外部接続端子（コレクタ側端子）として機能するリードフレームＦ１に、半導体素子Ｓ１ａ，Ｓ１ｂが載置されている。すなわち、外部接続端子用の金属部材（リードフレームＦ１）は、半導体素子が載置される金属部材としても利用される。そのため、半導体素子を載置するための金属部材を別途設ける必要がなく、半導体装置（モジュール）の小型化を実現できるという効果が得られる。これにより、半導体装置の製造工程の簡略化を実現できる。
【００５０】
なお、関連構成Ａでは、半導体素子（半導体チップ）が載置されている金属部材と、外部接続端子に相当する別の金属部材との間に、ヒューズとして機能する複数のワイヤが設けられる。そのため、半導体素子（半導体チップ）が載置されている金属部材に加え、外部接続端子に相当する金属部材が別途設けられる。したがって、関連構成Ａでは、半導体装置（モジュール）の大型化、当該半導体装置の製造工程の複雑化、発熱箇所の分散等が問題となる。
【００５１】
そこで、本実施の形態の半導体装置１００は、上記の効果を奏するための構成を有する。そのため、本実施の形態の半導体装置１００により、上記の各問題を解決することができる。
【００５２】
＜変形例１＞
以下においては、本変形例の構成を「構成Ｃｔｍ１」ともいう。構成Ｃｔｍ１は、熱伝導率の低い樹脂を使用した構成である。構成Ｃｔｍ１は、構成Ｃｔ１に適用される。
【００５３】
図４は、変形例１の構成Ｃｔｍ１における半導体装置１００の断面図である。図４を参照して、構成Ｃｔｍ１では、半導体装置１００は、さらに、樹脂Ｒ１ａを備える。構成Ｃｔｍ１では、パッケージＰ１は、樹脂Ｒ１および樹脂Ｒ１ａで構成される。樹脂Ｒ１ａの熱伝導率は、樹脂Ｒ１の熱伝導率より低い。すなわち、樹脂Ｒ１ａの放熱性は、樹脂Ｒ１の放熱性より低い。
【００５４】
構成Ｃｔｍ１では、最上部Ｔ１ａ，Ｔ１ｂ，Ｔ１ｃは、樹脂Ｒ１ａにより封止されている。すなわち、樹脂Ｒ１ａは、最上部Ｔ１ａ，Ｔ１ｂ，Ｔ１ｃを束ねる。
【００５５】
なお、最上部Ｔ１ａの全体または一部が、樹脂Ｒ１ａにより封止されている。また、最上部Ｔ１ｂの全体または一部が、樹脂Ｒ１ａにより封止されている。また、最上部Ｔ１ｃの全体または一部が、樹脂Ｒ１ａにより封止されている。
【００５６】
また、ワイヤＷ１ａのうち樹脂Ｒ１ａにより封止されていない部分は、樹脂Ｒ１により封止されている。ワイヤＷ１ｂのうち樹脂Ｒ１ａにより封止されていない部分は、樹脂Ｒ１により封止されている。ワイヤＷ１ｃのうち樹脂Ｒ１ａにより封止されていない部分は、樹脂Ｒ１により封止されている。
【００５７】
（まとめ）
以上説明したように、本変形例の構成Ｃｔｍ１によれば、樹脂Ｒ１ａの熱伝導率は、樹脂Ｒ１の熱伝導率より低い。すなわち、樹脂Ｒ１ａの放熱性は、樹脂Ｒ１の放熱性より低い。最上部Ｔ１ａ，Ｔ１ｂ，Ｔ１ｃは、樹脂Ｒ１ａにより封止されている。
【００５８】
また、ワイヤＷ１ａのうち樹脂Ｒ１ａにより封止されていない部分は、樹脂Ｒ１により封止されている。ワイヤＷ１ｂのうち樹脂Ｒ１ａにより封止されていない部分は、樹脂Ｒ１により封止されている。ワイヤＷ１ｃのうち樹脂Ｒ１ａにより封止されていない部分は、樹脂Ｒ１により封止されている。
【００５９】
これにより、構成Ｃｔｍ１では、最上部Ｔ１ａ，Ｔ１ｂ，Ｔ１ｃの放熱性は低い。そのため、過電流状況において、最上部Ｔ１ａ，Ｔ１ｂ，Ｔ１ｃの温度が、図３の構成よりも、高くなりやすい。したがって、過電流状況が発生した場合において、過電流により最上部Ｔ１ａ，Ｔ１ｂ，Ｔ１ｃが、さらに溶断されやすくなる。
【００６０】
その結果、最上部Ｔ１ａ，Ｔ１ｂ，Ｔ１ｃが溶断されてパッケージＰ１が破壊される場合、樹脂Ｒ１ａが当該破壊の起点となる。そのため、当該溶断（破壊）の影響を、最上部Ｔ１ａ，Ｔ１ｂ，Ｔ１ｃ、および、樹脂Ｒ１ａに留めることができる。したがって、過電流状況が発生した場合に、半導体素子Ｓ１ａ，Ｓ１ｂにダメージが生じることを抑制することができる。
【００６１】
なお、構成Ｃｔｍ１では、最上部Ｔ１ａ，Ｔ１ｂ，Ｔ１ｃの全てが、樹脂Ｒ１ａにより封止されていなくてもよい。例えば、最上部Ｔ１ａ，Ｔ１ｂが樹脂Ｒ１ａにより封止さていてもよい。
【００６２】
＜変形例２＞
以下においては、本変形例の構成を「構成Ｃｔｍ２」ともいう。構成Ｃｔｍ２は、パッケージＰ１の上面に窪みを設けた構成である。構成Ｃｔｍ２は、構成Ｃｔ１および構成Ｃｔｍ１の全てまたは一部に適用される。
【００６３】
一例として、構成Ｃｔｍ２が適用された構成Ｃｔ１（以下、「構成Ｃｔ１ｍ２」ともいう）を、以下に示す。構成Ｃｔ１ｍ２は、図３の構成に、構成Ｃｔｍ２が適用されたものである。
【００６４】
図５は、変形例２に係る構成Ｃｔ１ｍ２を有する半導体装置１００の断面図である。図５を参照して、構成Ｃｔ１ｍ２では、パッケージＰ１の上面Ｐ１ｓのうち、最上部Ｔ１ａ，Ｔ１ｂ，Ｔ１ｃの上方の領域には窪みＶ１が設けられている。なお、パッケージＰ１は、樹脂Ｒ１（モールド樹脂）で構成されている。具体的には、窪みＶ１の底が、最上部Ｔ１ａ，Ｔ１ｂ，Ｔ１ｃの上方を覆うように、当該窪みＶ１は設けられる。
【００６５】
以下においては、パッケージＰ１のうち、窪みＶ１の底と、最上部Ｔ１ａ，Ｔ１ｂ，Ｔ１ｃとの間の部分を、「窪み下部」ともいう。窪み下部は、パッケージＰ１の一部である。図５において、窪み下部の断面は、窪みＶ１の底と、最上部Ｔ１ａとの間の部分に相当する。窪み下部の厚みは薄い。
【００６６】
（まとめ）
以上説明したように、本変形例の構成Ｃｔｍ２によれば、パッケージＰ１の上面Ｐ１ｓのうち、最上部Ｔ１ａ，Ｔ１ｂ，Ｔ１ｃの上方の領域には窪みＶ１が設けられている。窪みＶ１の底が、最上部Ｔ１ａ，Ｔ１ｂ，Ｔ１ｃの上方を覆うように、当該窪みＶ１は設けられる。そのため、パッケージＰ１における窪み下部の厚みは薄い。したがって、窪み下部の物理的強度は小さい。
【００６７】
そのため、過電流状況において、最上部Ｔ１ａ，Ｔ１ｂ，Ｔ１ｃが溶断されて、パッケージＰ１が破壊される場合、窪み下部が当該破壊の起点となる。そのため、当該溶断（破壊）の影響を、最上部Ｔ１ａ，Ｔ１ｂ，Ｔ１ｃ、および、窪み下部に留めることができる。したがって、過電流状況が発生した場合に、半導体素子Ｓ１ａ，Ｓ１ｂにダメージが生じることを抑制することができる。
【００６８】
なお、構成Ｃｔｍ２では、窪みＶ１の底が、最上部Ｔ１ａ，Ｔ１ｂ，Ｔ１ｃ全ての上方を覆わなくてもよい。例えば、窪みＶ１の底が、最上部Ｔ１ａ，Ｔ１ｂの上方を覆うように、当該窪みＶ１は設けられてもよい。
【００６９】
＜変形例３＞
以下においては、本変形例の構成を「構成Ｃｔｍ３」ともいう。構成Ｃｔｍ３は、ヤング率の低い樹脂を使用した構成である。構成Ｃｔｍ３は、構成Ｃｔ１に適用される。
【００７０】
図６は、変形例３の構成Ｃｔｍ３における半導体装置１００の断面図である。図６を参照して、構成Ｃｔｍ３では、半導体装置１００は、さらに、樹脂Ｒ１ｂを備える。構成Ｃｔｍ３では、パッケージＰ１は、樹脂Ｒ１および樹脂Ｒ１ｂで構成される。樹脂Ｒ１ｂのヤング率は、樹脂Ｒ１のヤング率より小さい。すなわち、樹脂Ｒ１ｂは、樹脂Ｒ１よりやわらかい。つまり、樹脂Ｒ１ｂの放熱性は、樹脂Ｒ１の放熱性より低い。
【００７１】
構成Ｃｔｍ３では、最上部Ｔ１ａ，Ｔ１ｂ，Ｔ１ｃの状態は、状態Ｓｔ１である。状態Ｓｔ１は、最上部Ｔ１ａ，Ｔ１ｂ，Ｔ１ｃが樹脂Ｒ１ｂに接触している状態である。この場合、ワイヤＷ１ａのうち樹脂Ｒ１ｂに接触していない部分は、樹脂Ｒ１により封止されている。また、ワイヤＷ１ｂのうち樹脂Ｒ１ｂに接触していない部分は、樹脂Ｒ１により封止されている。また、ワイヤＷ１ｃのうち樹脂Ｒ１ｂに接触していない部分は、樹脂Ｒ１により封止されている。
【００７２】
なお、最上部Ｔ１ａ，Ｔ１ｂ，Ｔ１ｃの状態は、状態Ｓｔ２であってもよい。状態Ｓｔ２は、最上部Ｔ１ａ，Ｔ１ｂ，Ｔ１ｃが樹脂Ｒ１ｂ内に存在する状態である。この場合、ワイヤＷ１ａのうち樹脂Ｒ１ｂ内に存在していない部分は、樹脂Ｒ１により封止されている。ワイヤＷ１ｂのうち樹脂Ｒ１ｂ内に存在していない部分は、樹脂Ｒ１により封止されている。ワイヤＷ１ｃのうち樹脂Ｒ１ｂ内に存在していない部分は、樹脂Ｒ１により封止されている。
【００７３】
（まとめ）
以上説明したように、本変形例の構成Ｃｔｍ３によれば、樹脂Ｒ１ｂのヤング率は、樹脂Ｒ１のヤング率より小さい。すなわち、樹脂Ｒ１ｂの放熱性は、樹脂Ｒ１の放熱性より低い。最上部Ｔ１ａ，Ｔ１ｂ，Ｔ１ｃは樹脂Ｒ１ｂに接触している。この場合、ワイヤＷ１ａのうち樹脂Ｒ１ｂに接触していない部分は、樹脂Ｒ１により封止されている。また、ワイヤＷ１ｂのうち樹脂Ｒ１ｂに接触していない部分は、樹脂Ｒ１により封止されている。また、ワイヤＷ１ｃのうち樹脂Ｒ１ｂに接触していない部分は、樹脂Ｒ１により封止されている。
【００７４】
なお、最上部Ｔ１ａ，Ｔ１ｂ，Ｔ１ｃが樹脂Ｒ１ｂ内に存在してもよい。この場合、ワイヤＷ１ａのうち樹脂Ｒ１ｂ内に存在していない部分は、樹脂Ｒ１により封止されている。ワイヤＷ１ｂのうち樹脂Ｒ１ｂ内に存在していない部分は、樹脂Ｒ１により封止されている。ワイヤＷ１ｃのうち樹脂Ｒ１ｂ内に存在していない部分は、樹脂Ｒ１により封止されている。
【００７５】
以上の構成により、最上部Ｔ１ａ，Ｔ１ｂ，Ｔ１ｃの放熱性を低下させることができる。そのため、変形例１と同様な効果が得られる。例えば、最上部Ｔ１ａ，Ｔ１ｂ，Ｔ１ｃが溶断されてパッケージＰ１が破壊される場合、樹脂Ｒ１ｂが当該破壊の起点となる。そのため、当該溶断（破壊）の影響を、最上部Ｔ１ａ，Ｔ１ｂ，Ｔ１ｃ、および、樹脂Ｒ１ｂに留めることができる。したがって、過電流状況が発生した場合に、半導体素子Ｓ１ａ，Ｓ１ｂにダメージが生じることを抑制することができる。
【００７６】
なお、構成Ｃｔｍ３では、最上部Ｔ１ａ，Ｔ１ｂ，Ｔ１ｃの全ての状態が、状態Ｓｔ１または状態Ｓｔ２でなくてもよい。例えば、最上部Ｔ１ａ，Ｔ１ｂの状態が状態Ｓｔ１であってもよい。当該状態Ｓｔ１は、最上部Ｔ１ａ，Ｔ１ｂが樹脂Ｒ１ｂに接触している状態である。
【００７７】
また、例えば、最上部Ｔ１ａ，Ｔ１ｂの状態が状態Ｓｔ２であってもよい。当該状態Ｓｔ２は、最上部Ｔ１ａ，Ｔ１ｂが樹脂Ｒ１ｂ内に存在する状態である。
【００７８】
なお、本発明は、その発明の範囲内において、実施の形態、各変形例を自由に組み合わせたり、実施の形態、各変形例を適宜、変形、省略することが可能である。
【００７９】
例えば、半導体素子Ｓ１ａは、スイッチング素子以外の半導体素子であってもよい。また、半導体素子Ｓ１ｂは、還流ダイオード以外の半導体素子であってもよい。
【符号の説明】
【００８０】
１００  半導体装置、ｎ１，ｎ２，ｎ３，ｎ４，ｎ５，ｎ６  接点、Ｐ１  パッケージ、Ｒ１，Ｒ１ａ，Ｒ１ｂ  樹脂、Ｓ１ａ，Ｓ１ｂ  半導体素子、Ｔ１ａ，Ｔ１ｂ，Ｔ１ｃ  最上部、Ｗ１，Ｗ１ａ，Ｗ１ｂ，Ｗ１ｃ，Ｗ２  ワイヤ、Ｗ１ａｐ，Ｗ１ｂｐ，Ｗ１ｃｐ  線状部。
【図１】
2020077722.tif 000003
【図２】
2020077722.tif 000004
【図３】
2020077722.tif 000005
【図４】
2020077722.tif 000006
【図５】
2020077722.tif 000007
【図６】
2020077722.tif 000008